(57)【要約】【課題】健康維持とスポーツ上達を目標としたユーザの運動及び食事指導を支援する健康支援装置を提供することを目的とする。【解決手段】実施形態の健康支援装置は、ユーザのスポーツ能力計測データ、スポーツ向上ナレッジ情報、ユーザの身体特性データ及び運動能力データ、トレーニング施設を利用した運動メニュー情報及び改善食事データを記憶する記憶部と、向上させたいスポーツ能力又はユーザに提案されたスポーツ能力に基づいて、向上させるスポーツ能力に対応する目標身体特性データ又は／及び目標運動能力データを抽出する目標設定部と、目標に達していないと特定されたユーザの身体特性又は／及び運動能力に対応する運動メニューを生成する運動メニュー提供部と、を有する。【選択図】図１
2014183867.tif 000002
【特許請求の範囲】
【請求項１】
ユーザが行うスポーツの能力計測を行う測定装置から取得されるユーザのスポーツ能力計測データと、スポーツ能力別に予め設定された目標身体特性データ及び目標運動能力データとを含むスポーツ向上ナレッジ情報と、ユーザの身体特性データ及び運動能力データと、身体特性及び運動能力それぞれに対するトレーニング施設を利用した運動メニューを記憶する運動メニュー情報と、前記運動メニューに対応する身体特性及び運動能力の向上目的別に設定された改善食事データと、を記憶する記憶部と、
前記スポーツ能力計測データに応じてユーザが選択した向上させたいスポーツ能力又は前記スポーツ能力計測データに応じてユーザに提案されたスポーツ能力に基づいて、前記スポーツ向上ナレッジ情報を参照し、向上させるスポーツ能力に対応する前記目標身体特性データ又は／及び目標運動能力データを抽出する目標設定部と、
抽出された前記目標身体特性データ又は／及び目標運動能力データと、ユーザの前記身体特性データ又は／及び運動能力データとをマッチングして、前記目標身体特性データに達していないユーザの身体特性又は／及び前記目標運動能力データに達していないユーザの運動能力を特定するとともに、前記運動メニュー情報を参照して、目標に達していないと特定されたユーザの身体特性又は／及び運動能力に対応する運動メニューを生成する運動メニュー提供部と、
を有することを特徴とする健康支援装置。
【請求項２】
前記健康支援装置は、生成された前記運動メニューに対応する前記改善食事データを含む食事指導情報を生成する食事指導制御部を有することを特徴とする請求項１に記載の健康支援装置
【請求項３】
前記健康支援装置は、ネットワークを介してユーザの端末装置と接続され、前記端末装置を介してユーザに生成された前記運動メニュー及び／又は前記食事指導情報を提供することを特徴とする請求項１または２に記載の健康支援装置。
【請求項４】
前記健康支援装置は、スポーツ施設に設置された前記測定装置及び前記トレーニング施設それぞれとネットワークを介して接続され、ユーザの前記スポーツ能力計測データ及び前記トレーニング施設での生成された前記運動メニューに対する運動実績情報を取得することを特徴とする請求項１から３のいずれか１つに記載の健康支援装置。
【請求項５】
ユーザが行うスポーツの能力計測を行う測定装置から取得されるユーザのスポーツ能力計測データと、スポーツ能力別に予め設定された目標身体特性データ及び目標運動能力データとを含むスポーツ向上ナレッジ情報と、ユーザの身体特性データ及び運動能力データと、身体特性及び運動能力それぞれに対するトレーニング施設を利用した運動メニューを記憶する運動メニュー情報と、前記運動メニューに対応する身体特性及び運動能力の向上目的別に設定された改善食事データと、を記憶する記憶装置と接続されるコンピュータ装置によって実行される健康支援プログラムであって、
前記スポーツ能力計測データに応じてユーザが選択した向上させたいスポーツ能力又は前記スポーツ能力計測データに応じてユーザに提案されたスポーツ能力に基づいて、前記スポーツ向上ナレッジ情報を参照し、向上させるスポーツ能力に対応する前記目標身体特性データ又は／及び目標運動能力データを抽出する第１機能と、
抽出された前記目標身体特性データ又は／及び目標運動能力データと、ユーザの前記身体特性データ又は／及び運動能力データとをマッチングして、前記目標身体特性データに達していないユーザの身体特性又は／及び前記目標運動能力データに達していないユーザの運動能力を特定するとともに、前記運動メニュー情報を参照して、目標に達していないと特定されたユーザの身体特性又は／及び運動能力に対応する運動メニューを生成する第２機能と、
を含むことを特徴とする健康支援プログラム。
【請求項６】
前記健康支援プログラムは、生成された前記運動メニューに対応する前記改善食事データを含む食事指導情報を生成する第３機能を有することを特徴とする請求項５に記載の健康支援プログラム。
【発明の詳細な説明】
【技術分野】
【０００１】
本発明の実施形態は、ユーザの健康を維持しつつスポーツ能力の向上を支援するための健康支援装置に関する。
【背景技術】
【０００２】
近年は健康維持のために食事管理のみでなく、スポーツを楽しむ人が増えている。そこで、フィットネスクラブなどの運動施設を利用したユーザの運動を支援したり、ユーザに健康管理のための運動メニューを提示する技術が提案されている。
【先行技術文献】
【特許文献】
【０００３】
【特許文献１】特開２００５−２６７１７９号公報
【特許文献２】特開２０１１−１９８１８４号公報
【発明の概要】
【発明が解決しようとする課題】
【０００４】
健康維持とスポーツ上達を目標としたユーザの運動及び食事指導を支援する健康支援装置を提供することを目的とする。
【課題を解決するための手段】
【０００５】
実施形態の健康支援装置は、ユーザが行うスポーツの能力計測を行う測定装置から取得されるユーザのスポーツ能力計測データと、スポーツ能力別に予め設定された目標身体特性データ及び目標運動能力データとを含むスポーツ向上ナレッジ情報と、ユーザの身体特性データ及び運動能力データと、身体特性及び運動能力それぞれに対するトレーニング施設を利用した運動メニューを記憶する運動メニュー情報と、前記運動メニューに対応する身体特性及び運動能力の向上目的別に設定された改善食事データと、を記憶する記憶部と、前記スポーツ能力計測データに応じてユーザが選択した向上させたいスポーツ能力又は前記スポーツ能力計測データに応じてユーザに提案されたスポーツ能力に基づいて、前記スポーツ向上ナレッジ情報を参照し、向上させるスポーツ能力に対応する前記目標身体特性データ又は／及び目標運動能力データを抽出する目標設定部と、抽出された前記目標身体特性データ又は／及び目標運動能力データと、ユーザの前記身体特性データ又は／及び運動能力データとをマッチングして、前記目標身体特性データに達していないユーザの身体特性又は／及び前記目標運動能力データに達していないユーザの運動能力を特定するとともに、前記運動メニュー情報を参照して、目標に達していないと特定されたユーザの身体特性又は／及び運動能力に対応する運動メニューを生成する運動メニュー提供部と、を有することを特徴とする。
【図面の簡単な説明】
【０００６】
【図１】第１実施形態の健康支援システムのシステム構成例を示す図である。
【図２】第１実施形態の健康支援装置の構成ブロックの一例を示す図である。
【図３】第１実施形態のスポーツ能力計測データの一例を示す図である。
【図４】第１実施形態のスポーツ向上ナレッジ情報の一例である。
【図５】第１実施形態の運動基礎情報（身体特性，運動能力）の一例を示す図である。
【図６】第１実施形態の運動メニューの一例を示す図である。
【図７】第１実施形態の改善食事データの一例を示す図である。
【図８】第１実施形態に係るユーザの食事データの一例を示す図である。
【図９】第１実施形態に係るユーザの運動実績情報の一例である。
【図１０】第１実施形態の健康支援システムの処理フローを示す図である。
【発明を実施するための最良の形態】
【０００７】
以下、実施形態につき、図面を参照して説明する。
【０００８】
（第１実施形態）
図１から図１０は、第１実施形態の健康支援システムを示す図である。本実施形態の健康支援システムは、趣味や競技、健康、リハビリなどでスポーツを実施するユーザに、スポーツ上達を目標とした運動及び食事指導を支援するコンピュータシステムである。
【０００９】
スポーツは、ゴルフ、テニス、野球などの球技、陸上競技やマラソン、ランニングなどあり、個人で行うスポーツや団体で行うスポーツが含まれる。また、ユーザが行うスポーツの目的は、競技又は健康以外にも、ユーザが趣味で楽しむ目的で行う場合も含まれる。本実施形態の健康支援システムは、これら各スポーツの能力向上を目的とした運動及び食事指導の支援に適用することができるが、以下の説明では、ゴルフを一例に、健康を維持しつつゴルフ上達を目標とした運動及び食事指導を支援する健康支援システムについて説明する。
【００１０】
図１に示すように、健康支援システムは、フィットネスクラブなどのトレーニング施設及びゴルフ場やゴルフ練習場などのスポーツ施設と連携した健康を維持しつつスポーツ能力の向上（上達）を支援する。ユーザは、スポーツ施設で自身のスポーツ能力を計測するとともに、トレーニング施設で運動基礎情報（身体特性、運動能力）を計測する。管理装置（健康支援装置に相当する）３００は、ユーザの現在のゴルフのスポーツ能力に対する上達目標を設定し、設定された上達目標に対するトレーニング施設での運動メニューを提供する。
【００１１】
ユーザは、ゴルフのスポーツ能力（飛距離など）を上達させるために、上達目標に応じた運動メニューをトレーニング施設で消化して身体特性，運動能力を向上させる。本実施形態の健康支援システムは、スポーツ能力の向上と上達目標に対する運動メニューの消化を通じて、よりスポーツを楽しむことができる環境をユーザに提供する。
【００１２】
また、本実施形態の健康支援システムは、ユーザの日々の食事データに基づく生活状況を把握し、スポーツ能力向上及びスポーツ能力向上を目的とした運動に対して食事指導（改善食事データ）を提供することで、生活面からもユーザを支援する。
【００１３】
図２は、健康支援システムを構成する各装置の構成ブロック図の一例を示す図である。トレーニング施設に設置される運動機器１００は、例えば、ランニングマシーンやエアロバイク、スクワット機器、ベンチプレス機器などである。運動機器１００は、ユーザの運動時の心拍数や運動実績（運動時間、運動回数、運動強度など）を自動的に計測する運動情報取得部１０１と、計測した運動実績情報を管理装置３００に送信する通信部１０２を備えている。
【００１４】
なお、通信部１０２は、トレーニング施設内の各運動機器１００と接続される運動実績取得装置や通信装置などを経由して、管理装置３００にユーザの運動実績（運動履歴）を送信するように構成することができる。また、運動機器１００が運動情報取得部１０１及び通信部１０２を備えない構成であってもよい。例えば、装着型の通信機能を備えた運動実績取得装置をユーザが装着し、運動機器１００の動作情報を装着型運動実績取得装置が取得（記憶）し、直接又はトレーニング施設内の通信装置等を介して管理装置３００に各ユーザの運動実績を送信するように構成することもできる。
【００１５】
さらに、ユーザのトレーニング施設外での運動（例えば、ランニング等）についても、ユーザが装着する万歩計（登録商標）などの情報を管理装置３００に送信し、トレーニング施設での運動実績と共に後述する運動実績情報３２６として記憶してもよい。管理装置３００への送信は、万歩計（登録商標）が通信機能を備えてもよいし、後述のようにユーザ端末装置４００を介して管理装置３００に送信（入力）してもよい。
【００１６】
また、運動機器１００を使用しない運動情報、例えば、ストレッチングやチューブトレーニング、屋内外でのジョギングなどの運動情報は、トレーニング施設内の所定の運動実績入力装置を介してユーザ等が入力することで、管理装置３００は、これらの運動実績を取得することができる。
【００１７】
さらに、管理装置３００は、トレーニング施設で計測されたユーザの運動基礎情報である身体特性及び運動能力を取得する。身体特性とは、ユーザの身長、体重、体脂肪率、筋肉量、内臓脂肪レベル、ＢＭＩ値、基礎代謝量などであり、体組計（体組成測定器）１１０で計測することができる。運動能力とは、柔軟性、持久力、筋力（背筋力、腕力、握力）などであり、運動機器１００又は／及び背筋力計、握力計や体前屈測定器などで計測することができる。これら身体特性及び運動能力の各データは、運動機器１００、体組計１１０や各種測定器から直接又はトレーニング施設内の所定の運動実績入力装置を介してユーザ自身やインストラクター等が入力し、管理装置３００に送信することができる。
【００１８】
ゴルフ場やゴルフ練習場のスポーツ施設には、スポーツ能力を計測する測定器２００が設置されている。測定器２００は、例えば、ゴルフスイング測定器やゴルフシュミレーション装置である。測定器２００は、速度センサ、圧力センサ、画像処理装置などの各種センサモジュール、処理モジュールで構成される計測部２０１を備えている。測定器２００は、ゴルフのスポーツ能力として、飛距離（推定）、ボールのスピード、クラブのヘッドスピード、スイングの姿勢、スイング時の体重移動、スウェイ情報（頭、肩、腰、膝）、クラブの軌道、ボールの回転情報（トップスピン、サイドスピン）を計測することができる。
【００１９】
なお、ゴルフスイング測定器やゴルフシュミレーション装置は、ゴルフ場やゴルフ練習場以外にも例えば、ゴルフショップやゴルフバーなどにも設置することができる。したがって、管理装置３００は、これらゴルフショップやゴルフバーなどとネットワークを介して接続することができ、ゴルフ場やゴルフ練習場に限らず、測定器２００からユーザのスポーツ能力計測データを取得することができる。また、トレーニング施設に測定器２００が設置されていてもよい。
【００２０】
測定器２００で計測されたユーザのスポーツ能力計測データは、管理装置３００に送信される。測定器２００は、通信部２０２を備えており、計測部２０１で計測されたユーザのスポーツ能力計測データを管理装置３００に送信する。なお、スポーツ能力計測データは、ユーザがユーザ端末装置４００を介して管理装置３００に送信（入力）することもできる。この場合、測定器２００は、例えば、ＵＳＢメモリ等の外部記憶装置に、計測されたスポーツ能力計測データを記憶して提供したり、紙面や電子メールでユーザに提供することができる。つまり、管理装置３００が測定器２００とネットワークを介して接続されていない態様であってもよい。
【００２１】
管理装置３００は、ユーザが保有するユーザ端末装置４００と接続される。ユーザ端末装置４００は、通信機能を備えたデジタルテレビジョン装置などの表示装置やパーソナルコンピュータ等のコンピュータ装置、携帯電話機、スマートフォン等の多機能携帯端末機、タブレット端末やＰＤＡ（Personal Digital Assistant）などの移動通信装置である。
【００２２】
ユーザは、ユーザ端末装置４００を通じて管理装置３００と接続し、トレーニング施設で計測した運動基礎情報や運動実績、スポーツ施設で計測したスポーツ能力計測データとともに、後述するスポーツ上達目標情報、運動メニュー、改善食事データを参照することができる。また、ユーザは、ユーザ端末装置４００から日々の食事データを入力して管理装置３００に送信する。管理装置３００は、日々の食事データを入力する画面をユーザ端末装置４００に提供し、ユーザは所定の入力画面から食事データ（摂取した食事メニューや飲料（飲酒を含む）情報）を入力する。ユーザは、管理装置３００に接続し、これら日々の食事データを食事履歴としてユーザ端末装置４００を介して参照することができる。
【００２３】
管理装置３００は、トレーニング施設、スポーツ施設及びユーザ（ユーザ端末装置４００）とネットワークを介して接続されており、ユーザのトレーニング施設利用履歴（運動基礎情報の計測データ、運動実績）、スポーツ施設利用履歴（スポーツ能力計測データ）、ユーザの日々の食事データを管理する。
【００２４】
なお、スポーツ上達を支援する管理装置３００は、トレーニング施設及びスポーツ施設とコンピュータネットワークで連携及び接続されない態様であっても、ユーザにスポーツ上達を目標とした運動及び食事指導を支援することができる。すなわち、ユーザ端末装置４００を通じて、ユーザがトレーニング施設で計測した運動基礎情報や運動実績、スポーツ施設で計測したスポーツ能力計測データを入力する。管理装置３００は、ユーザに対してこれらの入力情報を用いてスポーツ上達を目標とした運動を支援することができ、管理装置３００とユーザとの間で完結するシステム構成も含まれる。
【００２５】
管理装置３００は、制御部３１０、記憶部３２０、及び通信制御部３３０を備える。制御部３１０は、目標設定部３１１、運動メニュー提供部３１２及び食事指導制御部３１３を含んでいる。記憶部３２０は、図３から図９に示す各種情報を記憶する。
【００２６】
目標設定部３１１は、スポーツ能力計測データ３２１に応じて当該ユーザが選択した向上させたいスポーツ能力、又はスポーツ能力計測データ３２１に応じてユーザに提案されたスポーツ能力に基づいて、スポーツ向上ナレッジ情報３２２を参照し、向上させるスポーツ能力に対応する目標身体特性データ又は／及び目標運動能力データを抽出する。
【００２７】
図３は、スポーツ能力測定データ３２１の一例を示す図である。スポーツ施設の測定器２００で測定されたスポーツ能力計測データは、現在の飛距離、ヘッドスピート等の実測値又は推定値である。ユーザは、スポーツ能力計測データを見て、向上させたいスポーツ能力を選択することができる。例えば、現在の飛距離が２１０ヤードである場合、あと１０ヤードほど飛距離を伸ばしたいなど、ユーザは、向上させたいスポーツ能力（飛距離）とその目標値を選択することができる。この場合、目標設定部３１１は、ユーザ端末装置４００を介してユーザが入力した向上させたいスポーツ能力とその目標値を受信して記憶部３２０に記憶する。
【００２８】
また、ユーザが自ら向上させたいスポーツ能力とその目標値を選択する以外にも、目標設定部３１１がユーザのスポーツ能力計測データに基づいて自動的にスポーツ能力とその目標値を設定することができる。例えば、目標設定部３１１は、現在の飛距離に対して１０ヤードの飛距離を伸ばす目標値を設定することができる。また、スポーツ向上ナレッジ情報３２２から向上させることを希望するスポーツ能力とその目標値をユーザに提供し、ユーザが提供された向上を希望するスポーツ能力とその目標値を選択する構成であってもよい。
【００２９】
ユーザが向上させたいスポーツ能力又はユーザに対して提案されたスポーツ能力が設定されると、目標設定部３１１は、スポーツ向上ナレッジ情報３２２を参照し、向上させるスポーツ能力に対応する目標身体特性データ又は／及び目標運動能力データを抽出する。
【００３０】
図４は、スポーツ向上ナレッジ情報３２２の一例を示す図である。スポーツ向上ナレッジ情報３２２は、ユーザが向上させたいスポーツ能力とその目標値に対応する身体特性の目標値及び運動能力の目標値が記憶されている。例えば、２２０ヤードの飛距離を出すために最適な身体特性データと運動能力が予め設定されており、目標とする体脂肪率、背筋力や柔軟性（立位体前屈）などが記憶されている。また、スポーツ能力「軸をずらさないでスイングする」ための身体特性や運動能力の目標値、「腰で打つ」ためのスポーツ能力に対する身体特性や運動能力の目標値がナレッジ情報として記憶されている。
【００３１】
このようなナレッジ情報は、例えば、プロゴルファーなどの専門家の意見や統計情報から作成することができる。飛距離を向上させるなどのゴルフ上達に対する専門家等の診断、身体特性や運動能力の向上と飛距離が伸びた実績の相関関係などから、そのスポーツ能力を発揮させるための目標身体特性、目標運動能力をスポーツ向上ナレッジとして蓄積することができる。
【００３２】
図５は、ユーザの運動基礎情報３２３の一例を示す図であり、ユーザの身体特性データ及び運動能力データを含んでいる。上述のようにユーザの運動基礎情報は、トレーニング施設で計測することができ、管理装置３００に登録される。
【００３３】
そして、目標設定部３１１は、図５に示すように、現在のユーザの身体特性及び運動能力に対し、ユーザが選択等した向上させたいスポーツ能力に対応するスポーツ向上ナレッジ情報３２２から抽出される目標身体特性データ及び目標運動能力データを設定する。
【００３４】
運動メニュー提供部３１２は、抽出された向上させるスポーツ能力に対応する目標身体特性データ及び目標運動能力データと、ユーザの運動基礎情報とをマッチングして、目標身体特性データに達していないユーザの身体特性及び目標運動能力データに達していないユーザの運動能力を特定する。
【００３５】
図５の例において、運動メニュー提供部３１２は、現在値と設定された目標値とを比較して、飛距離を１０ヤード伸ばすための目標身体特性に満たないユーザの現在の身体特性が体脂肪率であること及び体脂肪率を６％（２７−２１）低減させる必要があることを判別（特定）する。
【００３６】
また、運動能力についても現在値と設定された目標値とを比較して飛距離を１０ヤード伸ばすための目標運動能力に満たないユーザの現在の運動能力が背筋力、柔軟性であること及び背筋力を２０ｋｇ（１６０−１４０）向上させ、かつ立位体前屈を−７ｃｍに向上させる必要があることを判別する。
【００３７】
なお、上記説明では、身体特性と運動能力の両者を各目標値とマッチングしているが、スポーツ向上ナレッジ情報３２２から抽出される目標値に基づいて、いずれか一方をマッチングさせてもよい。つまり、目標値が身体特性のみ又は運動能力のみである場合は、身体特性と運動能力のいずれか一方と目標値とマッチングさせて、目標値に満たないユーザの現在の身体特性又は運動能力の一方を特定する。
【００３８】
次に、運動メニュー提供部３１２は、運動メニュー情報３２４を参照して、目標に達していないと特定されたユーザの身体特性及び運動能力に対応する運動メニューを生成する。本実施形態の運動メニュー情報３２４は、身体特性及び運動能力それぞれに対する各種の運動メニューであり、トレーニング施設で行う運動メニューである。図６に示すように、運動メニュー情報３２４は、運動目的別に運動の種類、使用する運動器具、目安となる運動時間（運動負荷）を含んで構成されている。
【００３９】
運動メニュー情報３２４の運動目的は、目標値に満たないユーザの身体特性及び運動能力の向上に関連した情報である。運動メニュー提供部３１２は、ユーザの体脂肪率が目標値に達していないと判別された場合に、ユーザに対して体脂肪率低減を目的とする運動が必要であると判断し、運動メニュー情報３２４の中から運動目的「体脂肪率低減」に対応する運動メニューを抽出する。
【００４０】
このように運動メニュー提供部３１２は、運動メニュー情報３２４を参照して、目標に達していないと特定されたユーザの身体特性又は／及び運動能力に対応する１つ又は複数の運動メニューを抽出して、向上させるスポーツ能力に応じた運動メニューを生成する。生成された運動メニューは、ユーザ毎に記憶部３２０に記憶することができる。
【００４１】
図７は、改善食事データの一例を示す図であり、図６に示した運動メニュー（運動目的）に対応する身体特性及び運動能力の向上目的別に予め設定された食事データである。
【００４２】
図７に示すように、改善食事データ３２５は、目的別に主な食材、料理名、各料理毎の摂取カロリー、目的別における全体の一日平均摂取カロリー（目標食事摂取量）などを含んでいる。例えば、体脂肪低減を目的する改善食事データの場合、鶏肉ササミの「梅肉あえ」や「サラダ」などの各料理を中心とした一日の摂取カロリー２６００ｋｃａｌの改善食事データが予め設定されている。また、筋力アップを目的とする場合、生姜焼きなどのタンパク質中心の各料理を含む一日の摂取カロリー３２００ｋｃａｌの改善食事データが予め設定されている。食事指導制御部３１３は、生成された運動メニュー（運動目的）に対応する改善食事データを含む食事指導情報を生成する。
【００４３】
なお、食事指導制御部３１３は、生成された運動メニューの運動目的が複数ある場合、いずれか１つの改善食事メニューを任意に選択したり、向上させるスポーツ能力に応じた各運動メニューに対して予め優先度を設定しておき、優先度が高い運動メニュー順に、対応する改善食事メニューを抽出することができる。
【００４４】
一方、図８に示すように、ユーザの日々の食事データ３２７が記憶部３２０に記憶されている。食事データ３２７は、日々の食事実績と、一日の摂取カロリー（食事摂取量）とが含まれている。そこで、食事指導制御部３１３は、食事データ３２７に基づくユーザの一日の摂取カロリーと改善食事データ３２５の一日平均摂取カロリーとの差分に基づいて、ユーザに対して改善食事データを抽出してもよい。
【００４５】
例えば、食事指導制御部３１３は、図８に示すように、図７に示した体脂肪率低減を目的とする改善食事データの一日の平均摂取カロリーを目標値として設定する。食事指導制御部３１３は、目標値に対して現在の一日の摂取カロリーの差分を算出し、差分値分の摂取カロリーを低減させるための改善食事データを提供することができる。例えば、差分値が４００ｋｃａｌである場合、現在のユーザの食事データから４００ｋｃａｌ分のカロリーを低減させるために、現在の食事データの摂取カロリーよりも４００ｋｃａｌ低い料理を改善食事データとして抽出してユーザに提供することができる。また、複数の改善食事データ全体で差分値分の摂取カロリーを低減できるような改善食事データをユーザに提供することができる。ここで、ユーザに提供する改善食事データは、ユーザの過去からの傾向(体重が増加ぎみ、基礎代謝が落ち気味)やユーザの状態（どれくらいの基礎代謝があるか）を加味して、各ユーザに適合するように作成することができる。
【００４６】
また、本実施形態の食事指導は、飲酒に関する指導も行うことができる。図８に示すように、ビールの飲酒量をユーザの日々の食事データとして蓄積しておき、生成された運動メニューに対応した一日の平均摂取カロリーの目標値に、飲酒量を含めて又は個別に設定しておく。食事指導制御部３１３は、飲酒量の目標値を改善食事データとして提供することができる。
【００４７】
図９は、トレーニング施設でユーザが運動した運動実績情報３２６の一例を示す図である。図９に示すように、日付毎に、運動の種類、使用した運動機器、運動時間（運動負荷）がそれぞれ記憶されており、上述したように運動機器１００から又はユーザやトレーナー等による入力を介して管理装置３００に登録される情報である。
【００４８】
図１０は、健康支援システムの処理フローを示したフローチャートである。
【００４９】
ユーザは、スポーツ施設に赴き、スポーツ施設に設置された測定器２００で、ユーザ自身の現在のスポーツ能力を計測する。測定器で計測されたユーザのスポーツ能力計測データは、管理装置３００に送信される（Ｓ１０１）。また、ユーザは、トレーニング施設に赴き、運動基礎情報を計測する。ユーザは、体組計１１０で身体特性を計測するとともに、運動機器１００等を使用した運動能力を計測する。計測された身体特性及び運動能力を含むユーザの運動基礎情報は、管理装置３００に送信される（Ｓ５０１）。
【００５０】
また、ユーザは、ユーザ端末装置４００を通じて、管理装置３００に日々の食事データを登録する（Ｓ７０１）。管理装置３００（食事指導制御部３１３）は、日々の食事データを入力する画面をユーザ端末装置４００に提供し、ユーザは、所定の入力画面から食事データ（摂取した食事メニューや飲料（飲酒を含む）情報）を入力する。管理装置３００の記憶部３２０は、摂取カロリーが予め関連付けられた食事メニュー情報を記憶しており、管理装置３００は、ユーザが選択する食事メニューを日々の食事実績として記憶部３２０に記憶する。なお、ユーザの日々の食事データの取得は、後述する目標設定処理や運動メニュー生成処理とは個別の任意のタイミングで行うことができる。
【００５１】
目標設定部３１１は、トレーニング施設で計測された現在のユーザの身体特性及び運動能力に対し、向上させるスポーツ能力に対応する目標身体特性データ及び目標運動能力データをスポーツ向上ナレッジ情報３２２から抽出して、目標値として設定する処理を行う（Ｓ３０１）。
【００５２】
このとき、目標設定部３１１は、ユーザ端末装置４００を介してユーザに向上させたいスポーツ能力とその目標値を選択させるように制御することができる。例えば、現在のスポーツ能力計測データに基づいて、スポーツ向上ナレッジ情報３２２から向上目標となるスポーツ能力とその目標身体特性、目標運動能力を抽出する。そして、目標設定部３１１は、ユーザに対するスポーツ上達アドバイスとして、抽出した向上目標となるスポーツ能力とその目標身体特性、目標運動能力をユーザ端末装置４００に提供することができる。目標設定部３１１は、ユーザ端末装置４００を介して選択された向上させたいスポーツ能力とその目標値を受信して記憶部３２０に記憶する。また、目標設定部３１１によるスポーツ上達アドバイス（目標値の設定）は、上述した各種の手法を用いることができる。
【００５３】
運動メニュー提供部３１２は、目標設定部３１１によってスポーツ能力計測データに対して向上させるスポーツ能力とその目標値が設定されると、運動メニュー提供処理を行う（Ｓ３０２）。
【００５４】
運動メニュー提供部３１２は、抽出された向上させるスポーツ能力に対応する目標身体特性データ及び目標運動能力データと、ユーザの運動基礎情報とをマッチングして、目標身体特性データに達していないユーザの身体特性及び目標運動能力データに達していないユーザの運動能力を特定する（Ｓ３０２１）。
【００５５】
運動メニュー提供部３１２は、運動メニュー情報３２４を参照して、目標に達していないと特定されたユーザの身体特性及び運動能力に対応する運動メニューを生成する（Ｓ３０２２）。具体的には、目標値に達していないと判別された身体特性や運動能力に基づいて、ユーザに対して必要な運動目的を判断し、運動メニュー情報３２４の中から判断された運動目的に対応する運動メニューを抽出して、１つ又は複数の運動メニューをユーザ別に生成する。
【００５６】
食事指導制御部３１３は、生成された運動メニューに対応する身体特性及び運動能力の向上目的別に予め設定された改善食事データを含む食事指導情報を生成する（Ｓ３０３）。生成された食事指導情報は、ユーザ端末装置４００に任意のタイミングで提供される。なお、食事指導情報は、メッセージを含むことができ、改善食事データと共に、例えば、「脂質が高い食事が多いので野菜中心の食事に切り替えましょう。」、「もう少し摂取カロリーを控えめにしましょう」などのメッセージをユーザに提供するようにしてもよい。
【００５７】
管理装置３００は、ユーザへのスポーツ能力上達を目的とする運動メニューの提供及び改善食事データを含む食事指導情報の提供後、提供された運動メニューの消化、すなわち、運動メニューに対する運動実績をトレーニング施設から取得することができる（Ｓ５０２）。提供された運動メニューに対する運動実績を把握することで、スポーツ能力の上達を目的とする運動進捗管理をユーザに提供することができる。
【００５８】
また、提供された改善食事データの実践状況をユーザ端末装置４００から取得することができる（Ｓ７０２）。ユーザは、日々の食事データとして提供された改善食事データを入力することで、食事指導が実践されているかなどの効果を把握することができる。
【００５９】
このように本実施形態の健康支援システムは、実際の計測されたユーザのスポーツ能力計測データに基づいて、スポーツ能力を向上させる推奨プログラム（目標値）を提供しつつ、トレーニング施設での運動メニュー及び食事指導をユーザに提供するので、スポーツ能力の向上と上達目標に対する運動メニューの消化や生活（食事）改善を通じて、よりスポーツを楽しむことができる環境をユーザに提供することができる。
【００６０】
なお、ユーザに提供される向上可能なスポーツ能力とその目標値は、スポーツ能力計測データと運動基礎情報とに基づいて、専門家等の診断を通じて自動的に又は手動でユーザに対してスポーツ能力上達の推奨プログラムを提供することができる。例えば、運動基礎情報からユーザが筋力量が少なく、足腰の踏ん張りがきかない状態であること、食事データから野菜中心の生活状況であることなどを診断し、このような診断結果に対してスポーツ能力が上達しない原因を専門家の知識に基づいて特定する。例えば、上体が不安定、手打ちになっていると特定することができる。
【００６１】
さらに、このように特定されたスポーツ能力が上達しない原因に基づいて、スポーツ能力を向上させるために必要な解決策をユーザに提示することができる。例えば、軸をずらさない、腰で打つなどを解決策として提示する。
【００６２】
このようなスポーツ能力が上達しない原因の特定とその解決策の提示を通じて、ユーザに対して向上させるべきスポーツ能力の目標を、スポーツ向上ナレッジ情報３２２から抽出して設定し、運動メニューの生成及び食事指導を行うことができる。
【００６３】
また、管理装置３００は、ユーザ端末装置４００を介して、日々の運動実績に基づくユーザの身体特性及び運動能力の向上状況や、スポーツ能力計測データの向上状況、改善食事データを実施したことによる生活改善状況などをフィードバック情報としてユーザに提供することもできる。
【００６４】
また、本実施形態の健康支援システム（管理装置３００）の各機能は、プログラムとして構成することができる。例えば、コンピュータの不図示の補助記憶装置に格納され、ＣＰＵ等の制御部が補助記憶装置に格納された健康支援システムの各機能毎のプログラムを主記憶装置に読み出し、主記憶装置に読み出された該プログラムを制御部が実行し、コンピュータに本発明の各部の機能を動作させることができる。すなわち、本実施形態の健康支援システムの各機能毎のプログラムがインストールされたコンピュータは、本実施形態の健康支援システムの各機能を遂行するコンピュータ装置として動作することが可能である。
【００６５】
また、上記プログラムは、コンピュータ読取可能な記録媒体に記録された状態で、コンピュータに提供することも可能である。コンピュータ読取可能な記録媒体としては、ＣＤ−ＲＯＭ等の光ディスク、ＤＶＤ−ＲＯＭ等の相変化型光ディスク、ＭＯ（Magnet Optical）やＭＤ(Mini Disk)などの光磁気ディスク、フロッピー（登録商標）ディスクやリムーバブルハードディスクなどの磁気ディスク、コンパクトフラッシュ（登録商標）、スマートメディア、SDメモリカード、メモリスティック等のメモリカードが挙げられる。また、本発明の目的のために特別に設計されて構成された集積回路（ICチップ等）等のハードウェア装置も記録媒体として含まれる。
【００６６】
なお、本発明の実施形態を説明したが、当該実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１００    運動機器
１０１    運動情報取得部
１０２    通信部
１１０    体組計
２００    スポーツ能力測定器
２０１    計測部
２０２    通信部
３００    管理装置（健康支援装置）
３１０    制御部
３１１    目標設定部
３１２    運動メニュー提供部
３１３    食事指導制御部
３２０    記憶部
３２１    スポーツ能力計測データ
３２２    スポーツ向上ナレッジ情報
３２３    運動基礎情報
３２４    運動メニュー情報
３２５    改善食事データ
３２６    運動実績情報
３２７    食事データ
３３０    通信制御部
４００    ユーザ端末装置
【図１】
2014183867.tif 000003
【図２】
2014183867.tif 000004
【図３】
2014183867.tif 000005
【図４】
2014183867.tif 000006
【図５】
2014183867.tif 000007
【図６】
2014183867.tif 000008
【図７】
2014183867.tif 000009
【図８】
2014183867.tif 000010
【図９】
2014183867.tif 000011
【図１０】
2014183867.tif 000012